(57)【要約】【課題】両面同時読取を行う原稿読取装置において、表裏面読取画像間の倍率の違いが発生するという問題を解決する。【解決手段】第１読取手段の第１読取位置及び第２読取手段の第２読取位置を挟んで、読取前搬送手段と、読取後搬送手段とを設け、第１、第２読取位置において、前記読取前搬送手段と前記読取後搬送手段とからなる同一搬送手段により原稿を搬送する。【選択図】図３
2009296303.tif 000002
【特許請求の範囲】
【請求項１】
原稿搬送路と、原稿の第１面を読み取る第１読取手段と、原稿の第２面を読み取る第２読取手段とを有し、前記第１読取手段の第１読取位置及び前記第２読取手段の第２読取位置が前記原稿搬送路に、搬送方向に関して前後して設けられた原稿読取装置において、
搬送方向に関して、前記第１読取位置及び前記第２読取位置を挟んで、読取前搬送手段と読取後搬送手段とが設けられ、
原稿は、前記第１読取位置及び前記第２読取位置において、前記読取前搬送手段及び前記読取後搬送手段からなる同一の搬送手段により搬送されることを特徴とする原稿読取装置。
【請求項２】
前記読取後搬送手段は前記読取前搬送手段と等しいか又はより低い搬送力を有することを特徴とする請求項１に記載の原稿読取装置。
【請求項３】
前記読取前搬送手段が配置された前記原稿搬送路において原稿をガイドするガイド板を有し、該ガイド板は、前記読取前搬送手段を受け入れる孔を有することを特徴とする請求項１又は請求項２に記載の原稿読取装置。
【請求項４】
前記第１読取手段を有する読取部並びに、
前記原稿搬送路、前記第２読取手段、前記第２読取手段に対向する位置に配置された基準白色部材、前記原稿搬送路に原稿を給紙する原稿給紙部及び原稿搬送路から排出される原稿が積載される原稿排紙部を有し、前記読取部の上に載置された原稿搬送装置を備え、
前記第１読取位置と前記原稿排紙部との間の前記原稿搬送路は、原稿を上方に搬送する傾斜搬送路を有し、
前記第２読取位置及び前記基準白色部材は前記傾斜搬送路であって、前記第１読取位置よりも前記読取後搬送手段に近い位置に設けられたことを特徴とする請求項１〜３のいずれか１項に記載の原稿読取装置。
【請求項５】
前記基準白色部材は、白色の外周面を有する多角形部材からなることを特徴とする請求項４に記載の原稿読取装置。
【発明の詳細な説明】
【技術分野】
【０００１】
本発明は原稿を読み取って画像データを生成する原稿読取装置に関し、特に、原稿の両面を読み取ることができる両面原稿読取装置に関する。
【背景技術】
【０００２】
原稿の第１面を読み取る第１読取手段及び原稿の第２面を読み取る第２読取手段を有し、原稿搬送路に前記第１読取手段の第１読取位置及び前記第２読取手段の第２読取位置を設け、原稿を１方向に搬送する過程で、両面読取を行う原稿読取装置が特許文献１に開示のように開発され、また、実用化されている。
【０００３】
このような原稿読取装置は、１個の読取手段を有し、該１個の読取手段の読取位置に原稿を２回搬送することにより、両面読取を行う原稿読取装置に比較して読取効率が高く、高速の原稿読取装置として用いられている。
【０００４】
特許文献１では、読取手段がプラテンローラ上で位置ずれを起こすことにより生ずる読取精度の低下を防止することが提案されている。
【特許文献１】特開２００５−９６９５１号公報
【発明の開示】
【発明が解決しようとする課題】
【０００５】
原稿は多数の搬送ローラと多数のガイド部材とを有する原稿搬送路を搬送される。そして、該搬送路中の搬送方向に前後して、第１読取手段の第１読取位置と第２読取手段の第２読取位置とが配置されている。
【０００６】
特許文献１の原稿読取装置においては、前記第１読取位置と前記第２読取位置との間に、搬送ローラが配置されている。
【０００７】
また、第１読取位置の上流及び第２読取位置の下流にも搬送ローラ（排紙ローラ）が配置されている。
【０００８】
図１に、特許文献１に開示されている原稿読取装置における読取位置と搬送ローラとの位置関係を示す。
【０００９】
図１から明らかなように、第１読取位置Ｙ１の上流に第１の搬送ローラＨ１が配置され、下流に第２の搬送ローラＨ２が配置される。
【００１０】
また、第２読取位置の上流に第２の搬送ローラＨ２が配置され、第２読取位置の下流に第３の搬送ローラＨ３が配置される。
【００１１】
なお、Ｗは原稿Ｇの搬送方向である。
【００１２】
このような第１、第２読取位置を含む原稿搬送路の構成では、第１読取位置における原稿は、第１の搬送ローラＨ１と第２の搬送ローラＨ２とにより搬送され、第２読取位置の原稿は、第２の搬送ローラＨ２と第３の搬送ローラＨ３とにより搬送される。
【００１３】
搬送ローラＨ１、Ｈ２、Ｈ３は設計値としては、互いに等しい搬送速度を有するが、部品精度や経時変化によりそれぞれの搬送速度が等しくない場合が生ずることが避けられない。
【００１４】
図１では、第１読取位置Ｙ１において原稿を搬送する搬送ローラと第２読取位置において原稿を搬送する搬送ローラとが異なる。このために、搬送ローラＨ１、Ｈ２、Ｈ３の搬送速度が等しくなくなった場合、第１読取位置における原稿の搬送速度と第２読取位置における原稿搬送速度との間に差が生ずる。
【００１５】
その結果、表面の読取画像と、裏面の読取画像との間の縦倍率、即ち、原稿が搬送される搬送方向の倍率が異なるようになる。
【００１６】
特許文献１では、読取手段の位置ずれが原因で発生する読取精度の低下を防止しているが、特許文献１の発明によっては、前記に説明した問題、即ち、搬送ローラの搬送速度の違いが原因で発生する表裏面の読取画像の倍率の違いを防止することができない。
【００１７】
本発明は、前記に説明した問題を解決し、表面の読取画像の倍率と裏面の読取画像の倍率とを常に等しくした原稿読取装置を提供することを目的とする。
【課題を解決するための手段】
【００１８】
前記目的は下記の発明により達成される。
【００１９】
１．原稿搬送路と、原稿の第１面を読み取る第１読取手段と、原稿の第２面を読み取る第２読取手段とを有し、前記第１読取手段の第１読取位置及び前記第２読取手段の第２読取位置が前記原稿搬送路に、搬送方向に関して前後して設けられた原稿読取装置において、
搬送方向に関して、前記第１読取位置及び前記第２読取位置を挟んで、読取前搬送手段と読取後搬送手段とが設けられ、
原稿は、前記第１読取位置及び前記第２読取位置において、前記読取前搬送手段及び前記読取後搬送手段からなる同一の搬送手段により搬送されることを特徴とする原稿読取装置。
【００２０】
２．前記読取後搬送手段は前記読取前搬送手段と等しいか又はより低い搬送力を有することを特徴とする前記１に記載の原稿読取装置。
【００２１】
３．前記読取前搬送手段が配置された前記原稿搬送路において原稿をガイドするガイド板を有し、該ガイド板は、前記読取前搬送手段を受け入れる孔を有することを特徴とする前記１又は前記２に記載の原稿読取装置。
【００２２】
４．前記第１読取手段を有する読取部並びに、
前記原稿搬送路、前記第２読取手段、前記第２読取手段に対向する位置に配置された基準白色部材、前記原稿搬送路に原稿を給紙する原稿給紙部及び原稿搬送路から排出される原稿が積載される原稿排紙部を有し、前記読取部の上に載置された原稿搬送装置を備え、
前記第１読取位置と前記原稿排紙部との間の前記原稿搬送路は、原稿を上方に搬送する傾斜搬送路を有し、
前記第２読取位置及び前記基準白色部材は前記傾斜搬送路であって、前記第１読取位置よりも前記読取後搬送手段に近い位置に設けられたことを特徴とする前記１〜３のいずれか１項に記載の原稿読取装置。
【００２３】
５．前記基準白色部材は、白色の外周面を有する多角形部材からなることを特徴とする前記４に記載の原稿読取装置。
【発明の効果】
【００２４】
本発明によれば、原稿の第１面を読み取るための第１読取位置と原稿の第２面を読み取るための第２読取位置とにおいて、原稿が同一の搬送手段により搬送される。したがって、表面画像と裏面画像とが常に同一の倍率で読み取られ、表裏面間の画像の倍率に違いが生ずるという問題が解決される。
【発明を実施するための最良の形態】
【００２５】
以下に、本発明の実施の形態に基づいて、本発明を説明するが、本発明は該実施の形態に限られない。
【００２６】
なお以下の説明において、「前」「後」「上流」及び「下流」は原稿の搬送方向を基準として用いられる。
【００２７】
図２は本発明の実施の形態に係る原稿読取装置の全体構成図、図３、４は図２に示す原稿読取装置の要部の断面図である。
【００２８】
原稿読取装置は原稿搬送装置Ａ及び読取部Ｂからなる。原稿搬送装置Ａは読取部Ｂの上に載置される。
【００２９】
原稿搬送装置Ａは、多数枚の原稿Ｇが載置される原稿給紙部１及び読取後に排出された原稿Ｇが積載される原稿排紙部９を有する。原稿給紙部１からは原稿Ｇが１枚ずつ給紙される。
【００３０】
原稿給紙部１と原稿排紙部９との間には、原稿搬送路が形成される。
【００３１】
原稿搬送路は多数の搬送ローラと原稿Ｇをガイドするガイド部材とで構成される。
【００３２】
２は給紙ローラであり、原稿Ｇは原稿給紙部１に設けられた可動な押圧板１Ａにより、給紙ローラ２に押圧される。
【００３３】
４．５、６及び７は駆動ローラと従動ローラとからなる搬送ローラであり、各搬送ローラの間にはガイド部材３が配置される。搬送ローラ７の下流にはガイド板１０が設けられるとともに、ガイド板１０の下流の原稿排紙口には排紙ローラ８が設けられる。
【００３４】
原稿給紙部１に載置された原稿Ｇは、上から順に１枚ずつ給紙ローラ２により、送り出され、Ｕ字状の原稿搬送路を搬送され、排紙ローラ８により、原稿排紙部９に排出され、集積される。
【００３５】
３０は第２読取手段であり、密着型イメージセンサ（Ｃｏｎｔａｃｔ  Ｉｍａｇｅ  Ｓｅｎｓｏｒ、以下ＣＩＳと言う）からなる。
【００３６】
ＣＩＳ３０は入射光を収束性ファイバーにより撮像素子上に結像させて画像を読み取る。
【００３７】
ＣＩＳ３０は第２読取位置Ｙ２において、原稿の第２面を読み取る。
【００３８】
ＣＩＳ３０の読取位置である第２読取位置Ｙ２は読取前搬送手段としての搬送ローラ６と、読取後搬送手段としての搬送ローラ７との間の搬送路に設けられる。
【００３９】
読取部Ｂは第１読取手段２０を有する。第１読取手段２０の第１読取位置Ｙ１は、スリットガラス２７の原稿搬送方向のほぼ中心位置である。第１読取位置Ｙ１も搬送ローラ６と搬送ローラ７との間に配置される。
【００４０】
図４は搬送ローラ６及びガイド板３１の上面図である。
【００４１】
ガイド部材３の一部を構成し、第１読取位置Ｙ１の直ぐ上流部の搬送路を形成するガイド板３１には、搬送ローラ６を構成するローラ素子６Ａを受け入れる孔３１Ａが設けられる。
【００４２】
このようなガイド部材及び搬送ローラの構成により、図１、３に示すように、第１読取位置Ｙ１に極めて近い位置に、搬送ローラ６を設置することが可能となる。
【００４３】
搬送ローラ６を第１読取位置Ｙ１に近接配置することにより、第１読取位置Ｙ１における原稿Ｇの走行が安定し、鮮鋭な読取画像が得られる。
【００４４】
第１読取手段２０は、原稿を照明する光源２１、原稿からの反射光を撮像素子２６に導く複数枚のミラー２２、２３、２４、原稿からの反射光を撮像素子２６上に結像させるレンズ２５及び撮像素子２６を有する。
【００４５】
撮像素子２６は、例えば、ラインＣＣＤからなる。
【００４６】
２７は原稿Ｇへの入反射光を透過するスリットガラス、２８、２９は基準白色部材である。
【００４７】
基準白色部材２８、２９の白色面を読み取ることにより得られたデータは、シェーディング補正に用いられる。
【００４８】
基準白色部材２８はその下面が白色に形成された板状部材からなり、基準白色部材２９は、その外周が白色に形成された６角形部材からなる。
【００４９】
基準白色部材２９は、その白色面に塵埃が付着する等により交換が必要になったときに回転されて新たな白色面が読取位置に設定されるように構成されている。
【００５０】
シェーディング補正用の基準白色部材は、原稿読取位置に近接して設けられなければならない。一方、原稿読取装置を小型化するには、第１読取位置Ｙ１と第２読取位置Ｙ２とが近い位置に配置される。
【００５１】
このような構成では、基準白色部材を設置するためのスペースは極限られたものとなる。
【００５２】
図３に示すように、第１読取位置Ｙ１と読取後搬送手段である搬送ローラ７との間の原稿搬送路はガイド板３２により下流側が高い傾斜搬送路として形成されている。
【００５３】
図５は第１読取位置Ｙ１と、第２読取位置Ｙ２と、読取後搬送手段の位置との関係を示しており、第１読取位置Ｙ１から搬送ローラ７に至る屈曲した搬送路を直線に展開して示す。
【００５４】
図５に示すように、第１読取位置Ｙ１と搬送ローラ７の搬送位置Ｈｐ間の搬送路において、第１読取位置Ｙ１と第２読取位置Ｙ２間の距離Ｌ１よりも、第２読取位置Ｙ２と搬送ローラ７の搬送位置Ｈｐ間の距離Ｌ２が短い関係が成立するように、ＣＩＳ３０及び基準白色部材２９が配置される。
【００５５】
このような基準白色部材２９の配置により、傾斜搬送路の下に基準白色部材２９が配置され、コンパクトな原稿読取装置において、基準白色部材２９を設置することが可能になった。しかも、多角形の基準白色部材２９の設定が可能となることにより、多角形の各面を交換しながら使用することが可能となり、基準白色部材２９を長期間にわたって使用することが可能となった。
【００５６】
スリットガラス２７の上を通過する原稿Ｇが光源２１により照明され、原稿Ｇの反射光が、ミラー２２〜２４により撮像素子２６に導かれ、第１読取手段２０により、原稿Ｇの第１面の読取が行われる。
【００５７】
第１読取位置Ｙ１も第２読取位置Ｙ２と同様に、読取前搬送手段としての搬送ローラ６と、読取後搬送手段としての搬送ローラ７との間の搬送路に設けられる。
【００５８】
給紙ローラ２により送り出された原稿Ｇは、第１読取位置Ｙ１を通過する際に、その第１面が第１読取手段２０により読み取られる。
【００５９】
第１面の読取後、原稿Ｇは第２読取位置Ｙ２を通過し、その際に、原稿Ｇの第２面がＣＩＳ３０により読み取られる。
【００６０】
第１面、第２面読取後の原稿は、原稿排紙部９に排出される。
【００６１】
原稿Ｇは、第１読取位置Ｙ１及び第２読取位置Ｙ２において、読取前搬送手段としての搬送ローラ６及び読取後搬送手段としての搬送ローラ７からなる同一の搬送手段により搬送される。
【００６２】
したがって、第１読取位置Ｙ１における原稿の搬送速度と、第２読取位置における原稿の搬送速度とは常に同一になる。
【００６３】
例えば、経時変化等により、搬送ローラ６、７の搬送速度が変化した場合でも、第１読取位置Ｙ１における原稿搬送速度は常に第２読取位置Ｙ２における原稿搬送速度に等しい。
【００６４】
なお、第１読取位置Ｙ１及び第２読取位置Ｙ２における搬送速度をより安定させるには、搬送ローラ７の搬送力が搬送ローラ６の搬送力よりも低いことが望ましい。
【００６５】
即ち、搬送ローラ６を構成するローラ対間のニップ圧よりも搬送ローラ７を構成するローラ対間の搬送力を小さくするか、又は搬送ローラ６を構成するローラ対の摩擦係数よりも搬送ローラ７を構成するローラ対の摩擦係数を小さくすることが望ましい。
【００６６】
このように構成することにより、特に、厚紙などからなる原稿を搬送する際に、搬送ローラ７を構成するローラ対間のニップに原稿がスムーズに送り込まれる。
【００６７】
したがって、搬送速度の変動が起こり難くなる。
【図面の簡単な説明】
【００６８】
【図１】表裏面の読取画像間に倍率の違いが生ずることを説明するための図である。
【図２】本発明の実施の形態に係る原稿読取装置の全体構成を示す図である。
【図３】図２に示す原稿読取装置の要部の断面図である。
【図４】搬送ローラ６及びガイド板３１の上面図である。
【図５】第１読取位置Ｙ１と、第２読取位置Ｙ２と、読取後搬送手段の位置との関係を示す図である。
【符号の説明】
【００６９】
３  ガイド部材
６、７  搬送ローラ
２０  第１読取手段
３０  ＣＩＳ（第２読取手段）
Ｙ１  第１読取位置
Ｙ２  第２読取位置
【図１】
2009296303.tif 000003
【図２】
2009296303.tif 000004
【図３】
2009296303.tif 000005
【図４】
2009296303.tif 000006
【図５】
2009296303.tif 000007